(57)【要約】【課題】ひとつの端末装置に複数のサブチャネルを割り当てる場合に、伝送効率を改善したい。【解決手段】無線リソース割当部３８は、複数のサブチャネルの周波数多重によってタイムスロットを形成しながら、複数のタイムスロットの時間多重によってフレームを形成する。無線リソース割当部３８は、各タイムスロットに含まれた複数のサブチャネルのそれぞれを端末装置に割り当てる。変復調部２４等は、割り当てた複数のサブチャネルのそれぞれにて、複数のサブキャリアのうちの一部が使用される既知信号を先頭部分に配置したＯＦＤＭ信号を使用しながら、端末装置と通信する。ベースバンド処理部２２等は、連続したタイムスロットに含まれるサブチャネルが所定の端末装置に割り当てられる場合、後段のタイムスロットにおいて、既知信号に使用すべきサブキャリアに対して、既知信号の代わりにデータ信号を含める。【選択図】図４
2008252502.tif 000002
【特許請求の範囲】
【請求項１】
複数のサブチャネルの周波数多重によってタイムスロットを形成しながら、複数のタイムスロットの時間多重によってフレームを形成する基地局装置であって、
各タイムスロットに含まれた複数のサブチャネルのそれぞれを端末装置に割り当てる割当部と、
前記割当部において割り当てた複数のサブチャネルのそれぞれにて、複数のサブキャリアのうちの一部が使用される既知信号を先頭部分に配置したＯＦＤＭ信号を使用しながら、端末装置と通信する通信部とを備え、
前記通信部は、前記割当部が、連続したタイムスロットに含まれるサブチャネルを所定の端末装置に割り当てる場合、後段のタイムスロットにおいて、既知信号に使用すべきサブキャリアに対して、既知信号の代わりにデータ信号を含めることを特徴とする基地局装置。
【請求項２】
複数のサブチャネルの周波数多重によってタイムスロットを形成しながら、複数のタイムスロットの時間多重によってフレームを形成する基地局装置であって、
各タイムスロットに含まれた複数のサブチャネルのそれぞれを端末装置に割り当てる割当部と、
前記割当部において割り当てた複数のサブチャネルのそれぞれにて、複数のサブキャリアのうちの一部が使用される既知信号を先頭部分に配置したＯＦＤＭ信号を使用しながら、端末装置と通信する通信部とを備え、
前記通信部は、前記割当部が、連続したタイムスロットにおいて同一の端末装置にサブチャネルを割り当てる場合、後段のタイムスロットから既知信号を除外し、複数のサブキャリアにデータ信号を含めることを特徴とする基地局装置。
【請求項３】
前記割当部は、連続したタイムスロットに含まれるサブチャネルを所定の端末装置に割り当てる場合、フレームに含まれた複数のタイムスロットのうち、前方のタイムスロットを使用することを特徴とする請求項１または２に記載の基地局装置。
【請求項４】
周波数多重した複数のサブチャネルのうちの少なくともひとつを端末装置に割り当てる割当部と、
前記割当部において割り当てた少なくともひとつのサブチャネルにて、端末装置と通信する通信部とを備え、
前記通信部は、前記割当部が、複数のサブチャネルをひとつの端末装置に割り当てる場合、当該端末装置に送信すべき複数のＭＡＣパケットのそれぞれに含まれたＭＡＣヘッダが共通であれば、ひとつのＭＡＣヘッダ以外のＭＡＣヘッダを廃棄した後、複数のＭＡＣパケットの残りの部分を複数のサブチャネルに含めることを特徴とする基地局装置。
【請求項５】
前記割当部は、サブチャネル間にガードバンドを規定しており、隣接したサブチャネルをひとつの端末装置に割り当てる場合、隣接したサブチャネル間のガードバンドにおいて、当該端末装置へのデータ信号を送信することを特徴とする請求項４に記載の基地局装置。
【請求項６】
複数のサブキャリアのうちの一部が使用される既知信号を先頭部分に配置したＯＦＤＭ信号によって形成されたパケット信号を使用しながら、端末装置と通信する無線装置であって、
パケット信号の途中において、複数のサブキャリアのうちの一部が使用される区間を設けることを特徴とする無線装置。
【請求項７】
複数のサブチャネルの周波数多重によってタイムスロットを形成しながら、複数のタイムスロットの時間多重によってフレームを形成する通信方法であって、
各タイムスロットに含まれた複数のサブチャネルのそれぞれを端末装置に割り当てるステップと、
割り当てた複数のサブチャネルのそれぞれにて、複数のサブキャリアのうちの一部が使用される既知信号を先頭部分に配置したＯＦＤＭ信号を使用しながら、端末装置と通信するステップとを備え、
前記通信するステップは、連続したタイムスロットに含まれるサブチャネルが所定の端末装置に割り当てられる場合、後段のタイムスロットにおいて、既知信号に使用すべきサブキャリアに対して、既知信号の代わりにデータ信号を含めることを特徴とする通信方法。
【請求項８】
複数のサブチャネルの周波数多重によってタイムスロットを形成しながら、複数のタイムスロットの時間多重によってフレームを形成する通信方法であって、
各タイムスロットに含まれた複数のサブチャネルのそれぞれを端末装置に割り当てるステップと、
割り当てた複数のサブチャネルのそれぞれにて、複数のサブキャリアのうちの一部が使用される既知信号を先頭部分に配置したＯＦＤＭ信号を使用しながら、端末装置と通信するステップとを備え、
前記通信するステップは、連続したタイムスロットにおいて同一の端末装置にサブチャネルが割り当てられる場合、後段のタイムスロットから既知信号を除外し、複数のサブキャリアにデータ信号を含めることを特徴とする通信方法。
【請求項９】
周波数多重した複数のサブチャネルのうちの少なくともひとつを端末装置に割り当てるステップと、
割り当てた少なくともひとつのサブチャネルにて、端末装置と通信するステップとを備え、
前記通信するステップは、複数のサブチャネルがひとつの端末装置に割り当てられる場合、当該端末装置に送信すべき複数のＭＡＣパケットのそれぞれに含まれたＭＡＣヘッダが共通であれば、ひとつのＭＡＣヘッダ以外のＭＡＣヘッダを廃棄した後、複数のＭＡＣパケットの残りの部分を複数のサブチャネルに含めることを特徴とする通信方法。
【請求項１０】
複数のサブキャリアのうちの一部が使用される既知信号を先頭部分に配置したＯＦＤＭ信号によって形成されたパケット信号を使用しながら、端末装置と通信する通信方法であって、
パケット信号の途中において、複数のサブキャリアのうちの一部が使用される区間を設けることを特徴とする通信方法。
【発明の詳細な説明】
【技術分野】
【０００１】
本発明は、割当技術に関し、特に端末装置にチャネルを割り当てる割当方法およびそれを利用した基地局装置に関する。
【背景技術】
【０００２】
無線通信システムにおいて、基地局装置が複数の端末装置を接続する場合がある。基地局装置が複数の端末装置を接続する際の形態のひとつが、ＴＤＭＡ／ＴＤＤである。ＴＤＭＡ／ＴＤＤでは、複数のタイムスロットによってフレームが形成されており、さらに複数のフレームが連続して配置される。また、ひとつのフレームに含まれた複数のタイムスロットの一部が上り回線のために使用され、残りのタイムスロットが下り回線のために使用される。このようなＴＤＭＡ／ＴＤＤを使用した先行技術では、ひとつのフレームのうちの上り回線のために使用されるタイムスロットの数と、下り回線のために使用されるタイムスロットの数とが、トラヒックの違いに応じて設定される（例えば、特許文献１参照）。
【特許文献１】特開平８−１８６５３３号公報
【発明の開示】
【発明が解決しようとする課題】
【０００３】
一般的に、無線通信において、限りある周波数資源の有効利用が望まれている。特に、通信速度の高速化に伴い、その要請はさらに高まっている。この要請に応えるための技術のひとつが、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式であり、これは、前述のＴＤＭＡ／ＴＤＤと組合せ可能である。ＯＦＤＭＡとは、ＯＦＤＭを利用しながら複数の端末装置を周波数多重する技術である。
【０００４】
このようなＯＦＤＭＡでは、複数のサブキャリアによってサブチャネルが形成されており、複数のサブチャネルによってマルチキャリア信号が形成されている。また、基地局装置は、サブチャネルを端末装置に割り当てることによって、端末装置との通信を実行する。また、所定の端末装置に対する伝送容量を増加させるために、基地局装置は複数のサブチャネルを端末装置に割り当てる。一方、パケット信号のような単位を使用しながら通信を実行する場合、一般的に、先頭部分に既知の信号、あるいはプリアンブル信号が配置される。前述のごとく、ひとつの端末装置に複数のサブチャネルを割り当てる場合、複数のサブチャネルのそれぞれにプリアンブル信号が配置される。伝送効率を改善するためには、パケット信号に含まれるプリアンブル信号の割合が小さいほど好ましい。
【０００５】
本発明はこうした状況に鑑みてなされたものであり、その目的は、ひとつの端末装置に複数のサブチャネルを割り当てる場合に、伝送効率を改善する通信技術を提供することにある。
【課題を解決するための手段】
【０００６】
上記課題を解決するために、本発明のある態様の基地局装置は、複数のサブチャネルの周波数多重によってタイムスロットを形成しながら、複数のタイムスロットの時間多重によってフレームを形成する基地局装置であって、各タイムスロットに含まれた複数のサブチャネルのそれぞれを端末装置に割り当てる割当部と、割当部において割り当てた複数のサブチャネルのそれぞれにて、複数のサブキャリアのうちの一部が使用される既知信号を先頭部分に配置したＯＦＤＭ信号を使用しながら、端末装置と通信する通信部とを備える。通信部は、割当部が、連続したタイムスロットに含まれるサブチャネルを所定の端末装置に割り当てる場合、後段のタイムスロットにおいて、既知信号に使用すべきサブキャリアに対して、既知信号の代わりにデータ信号を含める。
【０００７】
この態様によると、連続したタイムスロットに含まれるサブチャネルを所定の端末装置に割り当てる場合に、後段のタイムスロットにおいて、既知信号に使用すべきサブキャリアに対して、既知信号の代わりにデータ信号を含めるので、他の端末装置に与える影響を低減しながら、伝送効率を改善できる。
【０００８】
本発明の別の態様もまた、基地局装置である。この装置は、複数のサブチャネルの周波数多重によってタイムスロットを形成しながら、複数のタイムスロットの時間多重によってフレームを形成する基地局装置であって、各タイムスロットに含まれた複数のサブチャネルのそれぞれを端末装置に割り当てる割当部と、割当部において割り当てた複数のサブチャネルのそれぞれにて、複数のサブキャリアのうちの一部が使用される既知信号を先頭部分に配置したＯＦＤＭ信号を使用しながら、端末装置と通信する通信部とを備える。通信部は、割当部が、連続したタイムスロットにおいて同一の端末装置にサブチャネルを割り当てる場合、後段のタイムスロットから既知信号を除外し、複数のサブキャリアにデータ信号を含める。
【０００９】
この態様によると、連続したタイムスロットにおいて同一の端末装置にサブチャネルを割り当てる場合、後段のタイムスロットから既知信号を除外し、複数のサブキャリアにデータ信号を含めるので、伝送効率を改善できる。
【００１０】
割当部は、連続したタイムスロットに含まれるサブチャネルを所定の端末装置に割り当てる場合、フレームに含まれた複数のタイムスロットのうち、前方のタイムスロットを使用してもよい。この場合、前方のタイムスロットを使用するので、連続したタイムスロットを使用しやすくなり、伝送効率を改善できる。
【００１１】
本発明のさらに別の態様もまた、基地局装置である。この装置は、周波数多重した複数のサブチャネルのうちの少なくともひとつを端末装置に割り当てる割当部と、割当部において割り当てた少なくともひとつのサブチャネルにて、端末装置と通信する通信部とを備える。通信部は、割当部が、複数のサブチャネルをひとつの端末装置に割り当てる場合、当該端末装置に送信すべき複数のＭＡＣパケットのそれぞれに含まれたＭＡＣヘッダが共通であれば、ひとつのＭＡＣヘッダ以外のＭＡＣヘッダを廃棄した後、複数のＭＡＣパケットの残りの部分を複数のサブチャネルに含める。
【００１２】
この態様によると、複数のＭＡＣパケットのそれぞれに含まれたＭＡＣヘッダが共通であれば、ひとつのＭＡＣヘッダ以外のＭＡＣヘッダを廃棄した後、複数のＭＡＣパケットの残りの部分を複数のサブチャネルに含めるので、伝送効率を改善できる。
【００１３】
割当部は、サブチャネル間にガードバンドを規定しており、隣接したサブチャネルをひとつの端末装置に割り当てる場合、隣接したサブチャネル間のガードバンドにおいて、当該端末装置へのデータ信号を送信してもよい。「ガードバンド」は、サブチャネルがＯＦＤＭ信号である場合、ガードキャリアであってもよい。この場合、隣接したサブチャネル間のガードバンドにおいてデータ信号を送信するので、伝送効率を改善できる。
【００１４】
本発明のさらに別の態様は、無線装置である。この装置は、複数のサブキャリアのうちの一部が使用される既知信号を先頭部分に配置したＯＦＤＭ信号によって形成されたパケット信号を使用しながら、端末装置と通信する無線装置であって、パケット信号の途中において、複数のサブキャリアのうちの一部が使用される区間を設ける。
【００１５】
この態様によると、パケット信号の途中において、複数のサブキャリアのうちの一部が使用される区間を設けるので、当該区間における信号の繰り返し周期を短くできる。
【００１６】
本発明のさらに別の態様は、通信方法である。この方法は、複数のサブチャネルの周波数多重によってタイムスロットを形成しながら、複数のタイムスロットの時間多重によってフレームを形成する通信方法であって、各タイムスロットに含まれた複数のサブチャネルのそれぞれを端末装置に割り当てるステップと、割り当てた複数のサブチャネルのそれぞれにて、複数のサブキャリアのうちの一部が使用される既知信号を先頭部分に配置したＯＦＤＭ信号を使用しながら、端末装置と通信するステップとを備える。通信するステップは、連続したタイムスロットに含まれるサブチャネルが所定の端末装置に割り当てられる場合、後段のタイムスロットにおいて、既知信号に使用すべきサブキャリアに対して、既知信号の代わりにデータ信号を含める。
【００１７】
本発明のさらに別の態様もまた、通信方法である。この方法は、複数のサブチャネルの周波数多重によってタイムスロットを形成しながら、複数のタイムスロットの時間多重によってフレームを形成する通信方法であって、各タイムスロットに含まれた複数のサブチャネルのそれぞれを端末装置に割り当てるステップと、割り当てた複数のサブチャネルのそれぞれにて、複数のサブキャリアのうちの一部が使用される既知信号を先頭部分に配置したＯＦＤＭ信号を使用しながら、端末装置と通信するステップとを備える。通信するステップは、連続したタイムスロットにおいて同一の端末装置にサブチャネルが割り当てられる場合、後段のタイムスロットから既知信号を除外し、複数のサブキャリアにデータ信号を含める。
【００１８】
割り当てるステップは、連続したタイムスロットに含まれるサブチャネルを所定の端末装置に割り当てる場合、フレームに含まれた複数のタイムスロットのうち、前方のタイムスロットを使用してもよい。
【００１９】
本発明のさらに別の態様もまた、通信方法である。この方法は、周波数多重した複数のサブチャネルのうちの少なくともひとつを端末装置に割り当てるステップと、割り当てた少なくともひとつのサブチャネルにて、端末装置と通信するステップとを備える。通信するステップは、複数のサブチャネルがひとつの端末装置に割り当てられる場合、当該端末装置に送信すべき複数のＭＡＣパケットのそれぞれに含まれたＭＡＣヘッダが共通であれば、ひとつのＭＡＣヘッダ以外のＭＡＣヘッダを廃棄した後、複数のＭＡＣパケットの残りの部分を複数のサブチャネルに含める。
【００２０】
割り当てるステップは、サブチャネル間にガードバンドを規定しており、隣接したサブチャネルをひとつの端末装置に割り当てる場合、隣接したサブチャネル間のガードバンドにおいて、当該端末装置へのデータ信号を送信してもよい。
【００２１】
本発明のさらに別の態様もまた、通信方法である。この方法は、複数のサブキャリアのうちの一部が使用される既知信号を先頭部分に配置したＯＦＤＭ信号によって形成されたパケット信号を使用しながら、端末装置と通信する通信方法であって、パケット信号の途中において、複数のサブキャリアのうちの一部が使用される区間を設ける。
【００２２】
本発明のさらに別の態様は、プログラムである。このプログラムは、複数のサブチャネルの周波数多重によってタイムスロットを形成しながら、複数のタイムスロットの時間多重によってフレームを形成する通信方法であって、各タイムスロットに含まれた複数のサブチャネルのそれぞれを端末装置に割り当てるステップと、割り当てた複数のサブチャネルのそれぞれにて、複数のサブキャリアのうちの一部が使用される既知信号を先頭部分に配置したＯＦＤＭ信号を使用しながら、端末装置と通信するステップとを備える。通信するステップは、連続したタイムスロットに含まれるサブチャネルが所定の端末装置に割り当てられる場合、後段のタイムスロットにおいて、既知信号に使用すべきサブキャリアに対して、既知信号の代わりにデータ信号を含める。
【００２３】
本発明のさらに別の態様もまた、プログラムである。このプログラムは、複数のサブチャネルの周波数多重によってタイムスロットを形成しながら、複数のタイムスロットの時間多重によってフレームを形成する通信方法であって、各タイムスロットに含まれた複数のサブチャネルのそれぞれを端末装置に割り当てるステップと、割り当てた複数のサブチャネルのそれぞれにて、複数のサブキャリアのうちの一部が使用される既知信号を先頭部分に配置したＯＦＤＭ信号を使用しながら、端末装置と通信するステップとを備える。通信するステップは、連続したタイムスロットにおいて同一の端末装置にサブチャネルが割り当てられる場合、後段のタイムスロットから既知信号を除外し、複数のサブキャリアにデータ信号を含める。
【００２４】
割り当てるステップは、連続したタイムスロットに含まれるサブチャネルを所定の端末装置に割り当てる場合、フレームに含まれた複数のタイムスロットのうち、前方のタイムスロットを使用してもよい。
【００２５】
本発明のさらに別の態様もまた、プログラムである。このプログラムは、周波数多重した複数のサブチャネルのうちの少なくともひとつを端末装置に割り当てるステップと、割り当てた少なくともひとつのサブチャネルにて、端末装置と通信するステップとを備える。通信するステップは、複数のサブチャネルがひとつの端末装置に割り当てられる場合、当該端末装置に送信すべき複数のＭＡＣパケットのそれぞれに含まれたＭＡＣヘッダが共通であれば、ひとつのＭＡＣヘッダ以外のＭＡＣヘッダを廃棄した後、複数のＭＡＣパケットの残りの部分を複数のサブチャネルに含める。
【００２６】
割り当てるステップは、サブチャネル間にガードバンドを規定しており、隣接したサブチャネルをひとつの端末装置に割り当てる場合、隣接したサブチャネル間のガードバンドにおいて、当該端末装置へのデータ信号を送信してもよい。
【００２７】
本発明のさらに別の態様もまた、プログラムである。このプログラムは、複数のサブキャリアのうちの一部が使用される既知信号を先頭部分に配置したＯＦＤＭ信号によって形成されたパケット信号を使用しながら、端末装置と通信する通信方法であって、パケット信号の途中において、複数のサブキャリアのうちの一部が使用される区間を設ける。
【００２８】
なお、以上の構成要素の任意の組合せ、本発明の表現を方法、装置、システム、記録媒体、コンピュータプログラムなどの間で変換したものもまた、本発明の態様として有効である。
【発明の効果】
【００２９】
本発明によれば、ひとつの端末装置に複数のサブチャネルを割り当てる場合に、伝送効率を改善できる。
【発明を実施するための最良の形態】
【００３０】
本発明を具体的に説明する前に、まず概要を述べる。本発明の実施例は、基地局装置と、少なくともひとつの端末装置によって構成される通信システムに関する。通信システムにおいて、各フレームは、複数のタイムスロットが時間分割多重されることによって形成され、各タイムスロットは、複数のサブチャネルが周波数分割多重されることによって形成されている。また、各サブチャネルは、マルチキャリア信号によって形成されている。ここで、マルチキャリア信号としてＯＦＤＭ信号が使用されており、周波数分割多重としてＯＦＤＭＡが使用されている。基地局装置は、各タイムスロットに含まれた複数のサブチャネルのそれぞれを端末装置に割り当てることによって、複数の端末装置との通信を実行する。また、基地局装置は、端末装置に対する伝送容量を増加させるために、当該端末装置に複数のサブチャネルを割り当てる。
【００３１】
一方、各サブチャネルにおけるＯＦＤＭ信号は、パケット信号によって形成されており、前方の部分に既知の信号が配置されている。ここで、既知の信号は、「ＳＴＳ」、「ＬＴＳ１」、「ＬＴＳ２」のごとく、３種類規定されている。これらの既知の信号において、使用されるサブキャリアが互いに異なっている。「ＬＴＳ２」は、すべてのサブキャリアを使用するが、「ＬＴＳ１」は、ふたつのサブキャリアのうちのひとつを使用し、「ＳＴＳ」は、４つのサブキャリアのうちのひとつを使用する。一方、伝送効率を向上させるためには、パケット信号に含まれる既知の信号の割合は、小さい方が好ましい。特に、ひとつの端末装置に複数のサブチャネルを割り当てる場合に、複数のサブチャネルにおいて既知の信号を共用できれば、伝送効率が向上される。これに対応するために、本実施例に係る基地局装置は、以下の処理を実行する。
【００３２】
基地局装置は、ひとつの端末装置に複数のサブチャネルを割り当てる場合、連続したタイムスロットに含まれるサブチャネルを使用する。例えば、ひとつの端末装置にふたつのサブチャネルを割り当てるときに、基地局装置は、連続したタイムスロットに含まれ、かつ周波数帯が同一であるふたつのサブチャネルを使用する。ここでは、説明を明瞭するために、連続したタイムスロットのうちの先頭のタイムスロットに含まれたサブチャネルを「前段サブチャネル」といい、それ以外のサブチャネルを「後段サブチャネル」という。前段サブチャネルでは、通常のパケット信号と同様に、「ＳＴＳ」、「ＬＴＳ１」、「ＬＴＳ２」が先頭に配置される。
【００３３】
一方、「後段サブチャネル」では、先頭部分のサブキャリアの配置は、「ＳＴＳ」、「ＬＴＳ１」、「ＬＴＳ２」と同様になっている。つまり、最初のシンボルでは、４つのサブキャリアのうちのひとつが使用され、次のシンボルでは、ふたつのサブキャリアのうちのひとつが使用され、それに続くシンボルでは、すべてのサブキャリアが使用される。しかしながら、それらは、「ＳＴＳ」、「ＬＴＳ１」、「ＬＴＳ２」に使用されず、データ信号を含む。つまり、後段サブチャネルにおいて使用されるサブキャリアの形式は、既知の信号と同様の形式でありながらも、内容が既知の信号と異なる。その結果、データ信号でありながらも、時間領域において「ＳＴＳ」、「ＬＴＳ１」の周期性を維持するので、後段サブチャネルが含まれたタイムスロットにおいて、別のサブチャネルを使用する端末装置に与える影響が低減される。
【００３４】
図１は、本発明の実施例に係る通信システム１００の構成を示す。通信システム１００は、基地局装置１０、端末装置１２と総称される第１端末装置１２ａ、第２端末装置１２ｂ、第３端末装置１２ｃを含む。
【００３５】
基地局装置１０は、一端に無線ネットワークを介して端末装置１２を接続し、他端に図示しない有線ネットワークを接続する。また、端末装置１２は、無線ネットワークを介して基地局装置１０に接続する。基地局装置１０は、複数の端末装置１２に対して通信チャネルを割り当てることによって、複数の端末装置１２との通信を実行する。具体的には、端末装置１２が基地局装置１０に対してチャネル割当の要求信号を送信し、基地局装置１０は、受信した要求信号に応答して、端末装置１２に通信チャネルを割り当てる。また、基地局装置１０は、端末装置１２に割り当てた通信チャネルに関する情報を送信し、端末装置１２は、割り当てられた通信チャネルを使用しながら、基地局装置１０との通信を実行する。その結果、端末装置１２から送信されたデータは、基地局装置１０を介して、有線ネットワークに出力され、最終的に有線ネットワークに接続された図示しない通信装置に受信される。また、通信装置から端末装置１２への方向にもデータは伝送される。
【００３６】
以上の説明において、通信チャネルは、前述のサブチャネルとタイムスロットの組合せによって特定される。また、基地局装置１０は、複数のタイムスロットと、複数のサブチャネルを有しているので、複数のタイムスロットによってＴＤＭＡを実行しつつ、複数のサブチャネルによってＯＦＤＭＡを実行する。さらに、前述の通信速度は、サブチャネルを単位に規定されるものとする。ここで、前述のチャネル割当の要求信号には、端末装置１２によって必要とされる伝送容量に関する情報が含まれる。また、基地局装置１０は、伝送容量に関する情報に応じて、当該端末装置１２に割り当てるサブチャネルの数を決定する。その場合、複数のサブチャネルを使用しながら、基地局装置１０と端末装置１２との間の通信が実行される。なお、ひとつの端末装置１２に対して複数のサブチャネルが使用される場合のパケット信号のフォーマットについては後述する。
【００３７】
図２（ａ）−（ｃ）は、通信システム１００におけるフレーム構成を示す。図の横方向が時間軸に相当する。フレームは、８つのタイムスロットの時間多重によって形成されている。また、８つのタイムスロットは、４つの上りタイムスロットと４つの下りタイムスロットから構成されている。ここでは、４つの上りタイムスロットを「第１上りタイムスロット」から「第４上りタイムスロット」として示し、４つの下りタイムスロットを「第１下りタイムスロット」から「第４下りタイムスロット」として示す。また、図示したフレームは、連続して繰り返される。なお、フレームの構成は、図２（ａ）に限定されず、例えば、４つのタイムスロットや１６個のタイムスロットによって構成されてもよいが、ここでは、説明を明瞭にするために、フレームの構成を図２（ａ）として説明する。また、説明を簡潔にするために、上りのタイムスロットと下りのタイムスロットの構成は、同一であるとする。そのため、上りタイムスロットと下りタイムスロットのいずれかについてのみ説明を行う場合もあるが、他方のタイムスロットも同様の説明が有効である。
【００３８】
図２（ｂ）は、図２（ａ）のうちのひとつのタイムスロットの構成を示す。図の縦方向が周波数軸に相当する。図示のごとく、ひとつのタイムスロットは、「第１サブチャネル」から「第１６サブチャネル」までの「１６」個のサブチャネルの周波数多重によって形成される。各タイムスロットが図２（ｂ）のように構成されているので、タイムスロットとサブチャネルとの組合せによって、前述の通信チャネルが特定される。また、図２（ｂ）のうちのひとつのサブチャネルに対応したフレーム構成が図２（ａ）であるとしてもよい。なお、ひとつのタイムスロットに配置されるサブチャネルの数は、「１６」個でなくてもよい。
【００３９】
図２（ｃ）は、図２（ｂ）のうちのひとつのサブチャネルの構成を示す。図２（ａ）や図２（ｂ）と同様に、図の横方向が時間軸に相当し、図の縦方向が周波数軸に相当する。また、周波数軸に対して、「１」から「２９」の番号を付与しているが、これらは、サブキャリアの番号を示す。このように、サブチャネルは、マルチキャリア信号によって構成されており、特にＯＦＤＭ信号によって構成されている。図中の「ＴＳ」は、トレーニングシンボルに相当し、既知の値によって構成される。また、「ＴＳ」中に制御信号が含まれてもよいものとする。「ＧＳ」は、ガードシンボルに相当し、ここに実質的な信号は配置されない。「ＰＳ」は、パイロットシンボルに相当し、既知の値によって構成される。「ＤＳ」は、データシンボルに相当し、送信すべきデータである。「ＧＴ」は、ガードタイムに相当し、ここに実質的な信号は配置されない。図示のごとく、サブチャネルは、パケット信号を構成している。
【００４０】
ここで、「ＴＳ」は、３つのシンボルによって形成されており、それらは、先頭から順に「ＳＴＳ」、「ＬＴＳ１」、「ＬＴＳ２」と示される。「ＳＴＳ」は、受信側において、主にタイミング推定用に使用されるトレーニング信号であり、４つのサブキャリアのうちのひとつが使用される。また、「ＬＴＳ１」は、受信側において伝送路特性を推定するために使用されるトレーニング信号であり、ふたつのサブキャリアのうちのひとつが使用される。さらに、「ＬＴＳ２」も、「ＬＴＳ１」と同様の用途に使用されるが、すべてのサブキャリアが使用される。このような「ＴＳ」の構成の詳細は、後述する。なお、以下の説明において、「すべてのサブキャリアにデータ信号を配置させる」旨の表現を行う場合、すべてのサブキャリアに「ＤＳ」が配置されてもよいが、図２（ｃ）に示されたように「ＤＳ」が配置されてもよい。つまり、前述の表現は、「ＧＳ」、「ＰＳ」を除外したサブキャリアに「ＤＳ」が配置される場合に対応してもよい。
【００４１】
図３は、通信システム１００におけるサブチャネルの配置を示す。図３では、横軸に周波数軸が示されており、図２（ｂ）に示したタイムスロットに対するスペクトルが示される。ひとつのタイムスロットには、前述のごとく、第１サブチャネルから第１６サブチャネルの１６個のサブチャネルが周波数分割多重されている。各サブチャネルは、マルチキャリア信号、ここでは、ＯＦＤＭ信号によって構成されている。
【００４２】
図４は、基地局装置１０の構成を示す。基地局装置１０は、ＲＦ部２０と総称される第１ＲＦ部２０ａ、第２ＲＦ部２０ｂ、第ＮＲＦ部２０ｎ、ベースバンド処理部２２、変復調部２４、ＩＦ部２６、無線制御部２８、記憶部３０を含む。また、無線制御部２８は、制御チャネル決定部３２、無線リソース割当部３８を含む。
【００４３】
ＲＦ部２０は、受信処理として、図示しない端末装置１２から受信した無線周波数のマルチキャリア信号に対して周波数変換を実行し、ベースバンドのマルチキャリア信号を生成する。ここで、マルチキャリア信号は、図３のごとく形成されており、また、図２（ａ）の上りタイムスロットに相当する。さらに、ＲＦ部２０は、ベースバンドのマルチキャリア信号をベースバンド処理部２２に出力する。一般的に、ベースバンドのマルチキャリア信号は、同相成分と直交成分によって形成されるので、ふたつの信号線によって伝送されるべきであるが、ここでは、図を明瞭にするためにひとつの信号線だけを示すものとする。また、ＲＦ部２０には、ＡＧＣやＡ／Ｄ変換部も含まれる。
【００４４】
ＲＦ部２０は、送信処理として、ベースバンド処理部２２から入力したベースバンドのマルチキャリア信号に対して周波数変換を実行し、無線周波数のマルチキャリア信号を生成する。さらに、ＲＦ部２０は、無線周波数のマルチキャリア信号を送信する。なお、ＲＦ部２０は、受信したマルチキャリア信号と同一の無線周波数帯を使用しながら、マルチキャリア信号を送信する。つまり、図２（ａ）のごとく、ＴＤＤ（Ｔｉｍｅ  Ｄｉｖｉｓｉｏｎ  Ｄｕｐｌｅｘ）が使用されているものとする。また、ＲＦ部２０には、ＰＡ（Ｐｏｗｅｒ  Ａｍｐｌｉｆｉｅｒ）、Ｄ／Ａ変換部も含まれる。
【００４５】
ベースバンド処理部２２は、受信動作として、複数のＲＦ部２０のそれぞれからベースバンドのマルチキャリア信号を入力する。ベースバンドのマルチキャリア信号は、時間領域の信号であるので、ベースバンド処理部２２は、ＦＦＴによって、時間領域の信号を周波数領域に変換し、周波数領域の信号に対してアダプティブアレイ信号処理を実行する。また、ベースバンド処理部２２は、タイミング同期、つまりＦＦＴのウインドウの設定を実行し、ガードインターバルの削除も実行する。タイミング同期等には、公知の技術が使用されればよいので、ここでは、説明を省略する。ベースバンド処理部２２は、アダプティブアレイ信号処理の結果を変復調部２４へ出力する。ベースバンド処理部２２は、送信動作として、変復調部２４から、周波数領域のマルチキャリア信号を入力し、ウエイトベクトルによる分散処理を実行する。
【００４６】
ベースバンド処理部２２は、送信動作として、変復調部２４から入力した周波数領域のマルチキャリア信号に対して、ＩＦＦＴによって、周波数領域の信号を時間領域に変換し、変換した時間領域の信号をＲＦ部２０へ出力する。また、ベースバンド処理部２２は、ガードインターバルの付加も実行するが、ここでは説明を省略する。ここで、周波数領域の信号は、図２（ｂ）のごとく、複数のサブチャネルを含み、さらにサブチャネルのそれぞれは、図２（ｃ）の縦方向のごとく、複数のサブキャリアを含む。図を明瞭にするために、周波数領域の信号は、サブキャリア番号の順に並べられて、シリアル信号を形成しているものとする。
【００４７】
変復調部２４は、受信処理として、ベースバンド処理部２２からの周波数領域のマルチキャリア信号に対して、復調を実行する。周波数領域に変換したマルチキャリア信号は、図２（ｂ）や（ｃ）のごとく、複数のサブキャリアのそれぞれに対応した成分を有する。また、復調は、サブキャリア単位でなされる。変復調部２４は、復調した信号をＩＦ部２６に出力する。また、変復調部２４は、送信処理として、変調を実行する。変復調部２４は、変調した信号を周波数領域のマルチキャリア信号としてベースバンド処理部２２に出力する。
【００４８】
ＩＦ部２６は、受信処理として、変復調部２４から復調結果を受けつけ、復調結果を端末装置１２単位に分離する。つまり、復調結果は、図３のごとく、複数のサブチャネルによって構成されている。そのため、ひとつのサブチャネルがひとつの端末装置１２に割り当てられている場合、復調結果には、複数の端末装置１２からの信号が含まれている。ＩＦ部２６は、このような復調結果を端末装置１２単位に分離する。ＩＦ部２６は、分離した復調結果を図示しない有線ネットワークに出力する。その際、ＩＦ部２６は、宛先を識別するための情報、例えば、ＩＰ（Ｉｎｔｅｒｎｅｔ  Ｐｒｏｔｏｃｏｌ）アドレスにしたがって送信を実行する。
【００４９】
また、ＩＦ部２６は、送信処理として、図示しない有線ネットワークから複数の端末装置１２に対するデータを入力する。ＩＦ部２６は、データをサブチャネルに割り当て、複数のサブチャネルからマルチキャリア信号を形成する。つまり、ＩＦ部２６は、図３のごとく、複数のサブチャネルによって構成されるマルチキャリア信号を形成する。なお、データが割り当てられるべきサブチャネルは、図２（ｃ）のごとく予め決められており、それに関する指示は、無線制御部２８から受けつけるものとする。ＩＦ部２６は、マルチキャリア信号を変復調部２４に出力する。
【００５０】
無線リソース割当部３８は、各タイムスロットに含まれた複数のサブチャネルのそれぞれを端末装置１２に定期的に割り当てる。無線リソース割当部３８は、ＲＦ部２０、ベースバンド処理部２２、変復調部２４を介して、端末装置１２からサブチャネルの割当要求を受けつける。当該サブチャネルの割当要求には、伝送容量に関する情報が含まれており、無線リソース割当部３８は、伝送容量に関する情報を抽出する。また、無線リソース割当部３８は、伝送容量に関する情報をもとに、端末装置１２に割り当てるべきサブチャネルの数を決定する。その結果、ひとつのサブチャネルを端末装置１２に割り当てる場合、無線リソース割当部３８は、変復調部２４、ベースバンド処理部２２、ＲＦ部２０に対して、前述のごとく、複数のサブキャリアのうちの一部が使用される「ＳＴＳ」、「ＬＴＳ１」を先頭部分に配置したＯＦＤＭ信号を使用させながら、端末装置１２との通信を実行させる。
【００５１】
一方、複数のサブチャネルを端末装置１２に割り当てる場合、無線リソース割当部３８は、次のようにサブチャネルを連結することによって、伝送効率の向上を図る。無線リソース割当部３８は、連続したタイムスロットに含まれたサブチャネルであって、かつ同一の周波数帯となるサブチャネルを端末装置１２に割り当てる。また、無線リソース割当部３８は、端末装置１２にひとつのサブチャネルを割り当てる場合と同様に、前段サブチャネルに「ＳＴＳ」、「ＬＴＳ１」を配置させる。一方、無線リソース割当部３８は、後段サブチャネルにおいて、「ＳＴＳ」、「ＬＴＳ１」に使用すべきサブキャリアに対して、「ＳＴＳ」、「ＬＴＳ１」の代わりにデータ信号を含める。つまり、先頭のシンボルでは、４つのサブキャリアのうちのひとつに、データ信号を含め、次のシンボルでは、ふたつのサブキャリアのうちのひとつに、データ信号を含める。それ以降では、すべてのサブキャリアにデータ信号を含める。
【００５２】
以上の処理は、他のサブチャネルに他の端末装置１２が割り当てられる場合、無線リソース割当部３８が、既知信号の形式を残しながら複数のサブチャネルを連結することによって、伝送効率の向上を図りつつ、受信側での同期処理に与える干渉を低減するといえる。このように既知信号の形式を残すことは、次の理由にもとづく。ＯＦＤＭＡ方式では、タイムスロット毎に各サブチャネルの使用状況が異なるので、「ＳＴＳ」、「ＬＴＳ１」のごとく、数サブキャリア間隔に信号を入れることによって、時間的な繰り返しが生成される。受信側では、この繰り返しを利用し、同期処理・周波数オフセット推定を実行する。その際、連続したタイムスロットにわたって、一部のサブチャネルが連結される場合、当該サブチャネルから既知信号を完全に除外し、すべてのサブキャリアにデータ信号を配置すれば、時間的な繰り返しがなくなる。
【００５３】
複数のサブチャネルを連結使用する端末装置１２に対しては、時間的な繰り返しがなくなっても、前段サブチャネルにおいて同期処理等が実行されればよい。しかしながら、後段サブチャネルが含まれたタイムスロットにおける他のサブチャネルでは、時間的な繰り返しがなくなることによって、同期処理等の精度が悪化する。そのため、実施例のごとく、無線リソース割当部３８は、後段サブチャネルにおいて既知信号の形式を残すことによって、時間的な繰り返しも残す。一方、無線リソース割当部３８は、後段サブチャネルでの既知信号の部分にデータ信号を含めることによって、伝送効率を向上する。
【００５４】
図５（ａ）−（ｂ）は、無線リソース割当部３８によって形成される信号のフォーマットを示す。図５（ａ）は、通常のサブチャネルの信号フォーマットであり、複数のサブチャネルと複数のタイムスロットとに、図２（ｃ）に示されたフォーマットを展開した場合に相当する。また、図５（ａ）では、図２（ａ）と同様に、横軸が時間に相当し、縦軸が周波数に相当する。例えば、第１下りタイムスロットの第１サブチャネルにおいて、先頭のシンボルから順番に、ＳＴＳ、ＬＴＳ１、ＬＴＳ２が配置される。なお、ＳＴＳ、ＬＴＳ１、ＬＴＳ２において使用されるサブキャリアは、前述の通りであるので、ここでは説明を省略する。また、他のタイムスロットおよびサブチャネルにおいても、ＳＴＳ、ＬＴＳ１、ＬＴＳ２が同様に配置されている。
【００５５】
図５（ｂ）は、第１下りタイムスロットと第２下りタイムスロットにおける第１サブチャネルが連結される場合に相当する。なお、第２サブチャネルは連結されていない。第１下りタイムスロットにおける第１サブチャネルでのフォーマットは、図５（ａ）と同様である。一方、第２下りタイムスロットにおける第１サブチャネルでのフォーマットは、図５（ａ）と異なり、先頭の部分にＳＴＳ、ＬＴＳ１、ＬＴＳ２を配置せず、ＤＳを配置する。しかしながら、先頭のシンボルにおいて、４つのサブキャリアのうちのひとつにＤＳが配置され、次のシンボルにおいて、ふたつのサブキャリアのうちのひとつにＤＳが配置されており、使用されるサブキャリアは、ＳＴＳ、ＬＴＳ１と同一である。つまり、既知信号の形式が維持されている。図４に戻る。
【００５６】
また、無線リソース割当部３８は、連続したタイムスロットにおいて同一の端末装置１２にサブチャネルを割り当てる場合、後段のタイムスロットから既知信号を除外し、複数のサブキャリアにデータ信号を含める。ここで、連続したタイムスロットにおいて同一の端末装置１２にサブチャネルを割り当てる場合とは、連続したタイムスロットにおいて複数のサブチャネルの割当パターンが同一である場合に相当する。また、これは、連続したタイムスロットにおいてすべてのサブチャネルをひとつの端末装置１２に割り当てる場合であってもよい。この場合、後段サブチャネルにおいて新たに同期処理を実行しなくてもよいので、後段サブチャネルから既知信号を除外する。さらに、無線リソース割当部３８は、先頭のシンボルから、すべてのサブキャリアにデータ信号を配置することによって、伝送効率の向上を図る。また、すべてのサブチャネルがサブキャリア連結を行っていれば、既知信号の形式を残す必要がないので、無線リソース割当部３８は、サブチャネル連結を行うタイムスロットを揃えるように、サブチャネルの割当を実行する。
【００５７】
図６（ａ）−（ｂ）は、無線リソース割当部３８によって形成される信号の別のフォーマットを示す。図６（ａ）は、通常のサブチャネルの信号フォーマットであり、図５（ａ）と同一である。図６（ｂ）は、第１下りタイムスロットと第２下りタイムロットにおけるすべてのサブチャネルをひとつの端末装置１２に割り当てる場合に相当する。第１下りタイムスロットにおけるすべのサブチャネルでのフォーマットは、図５（ａ）と同様である。なお、図６（ｂ）では、ＧＴが１シンボルになっている。一方、第２下りタイムスロットにおけるすべてのサブチャネルでのフォーマットは、図６（ａ）と異なり、先頭の部分にＳＴＳ、ＬＴＳ１、ＬＴＳ２を配置せず、ＤＳを配置する。さらに、図６（ｂ）は、先頭のシンボルから、すべてのサブキャリアにＤＳが配置されている。ここでのすべてのサブキャリアとは、前述のごとく、ＰＳ、ＧＳが配置されたサブキャリアを除外する意味である。図４に戻る。
【００５８】
無線リソース割当部３８は、連続したタイムスロットに含まれるサブチャネルを所定の端末装置１２に割り当てる場合、フレームに含まれた複数のタイムスロットのうち、前方のタイムスロットを使用する。つまり、このような端末装置１２に対して、なるべく第１タイムスロットから優先的に使用する。例えば、中段のタイムスロットにおいて、サブチャネルを連結すると残りのタイムスロットにおいて連結ができなくなる可能性があるので、無線リソース割当部３８は、前方のタイムスロットから優先的にサブチャネルを割り当てる。なお、無線リソース割当部３８は、後方のタイムスロットから優先的にサブチャネルを割り当ててもよい。
【００５９】
制御チャネル決定部３２は、制御信号をサブチャネルに割り当てる。ここで、制御信号とは、端末装置１２との通信を制御するために使用される情報が含まれた信号である。このような制御信号の重要性は、データ信号よりも高いといえる。制御チャネル決定部３２は、記憶部３０を参照しながら、予め定めたサブチャネルに制御信号を選択する。また、制御チャネル決定部３２は、選択したサブチャネルを無線リソース割当部３８に通知する。無線リソース割当部３８は、制御チャネル決定部３２からの通知にしたがって、制御信号にサブチャネルを割り当てる。記憶部３０は、無線制御部２８と連携し、必要なデータを記憶する。
【００６０】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００６１】
以上の構成による基地局装置１０の動作を説明する。図７は、基地局装置１０における信号の生成手順を示すフローチャートである。複数のタイムスロットにわたってサブチャネルの割当が同一である場合（Ｓ１０のＹ）、無線リソース割当部３８は、後段サブチャネルのＳＴＳ、ＬＴＳを削除し（Ｓ１２）、データ信号を含める（Ｓ１４）。なお、ＬＴＳとは、ＬＴＳ１とＬＴＳ２との総称である。一方、複数のタイムスロットにわたってサブチャネルの割当が同一でなく（Ｓ１０のＮ）、複数のタイムスロットにわたる端末装置１２が存在する場合（Ｓ１６のＹ）、つまりサブチャネル連結を実行する場合、無線リソース割当部３８は、ＳＴＳ、ＬＴＳにデータ信号を含める（Ｓ１８）。また、複数のタイムスロットにわたる端末装置１２が存在しない場合（Ｓ１６のＮ）、無線リソース割当部３８は、通常のフォーマットを使用する（Ｓ２０）。
【００６２】
以下、本発明の変形例を説明する。実施例では、複数のタイムスロットにわたってサブチャネルを連結する場合、つまり時間方向にサブチャネルを連結する場合を説明した。変形例においては、同一のタイムスロットにおける複数のサブチャネルを連結する場合、つまり、周波数方向にサブチャネルを連結する場合を説明する。変形例では、ＭＡＣヘッダ等の情報を一元化することによって、オーバーヘッドを削減し、伝送効率の向上を図る。
【００６３】
変形例に通信システム１００は、図１と同様のタイプであり、基地局装置１０は、図４と同様のタイプである。そのため、ここでは、それらとの差異を中心に説明する。ＩＦ部２６は、図示しない有線ネットワークを介して、複数のＭＡＣパケットを受けつける。ここで、ＭＡＣパケットは、基地局装置１０から端末装置１２へ送信すべき、つまり下り回線において送信すべき信号であり、ＭＡＣパケットには、ＭＡＣヘッダとＭＡＣデータとが含まれる。ＭＡＣヘッダは、一般的に、ＭＡＣパケットの宛先等の制御情報を含む。無線リソース割当部３８は、同一のタイムスロットにおいて複数のサブチャネルをひとつの端末装置１２に割り当てる場合、当該端末装置１２に送信すべき複数のＭＡＣパケットのそれぞれに含まれたＭＡＣヘッダが共通であれば、ひとつのＭＡＣヘッダ以外のＭＡＣヘッダを廃棄した後、複数のＭＡＣパケットの残りの部分を複数のサブチャネルに含める。
【００６４】
つまり、以上の場合、複数のＭＡＣパケットのそれぞれに含まれたＭＡＣヘッダは、重複した情報といえるので、無線リソース割当部３８は、重複部分を削除する。また、無線リソース割当部３８は、図２（ｃ）のごとく、サブチャネル間にＧＳを規定しており、隣接したサブチャネルをひとつの端末装置１２に割り当てる場合、隣接したサブチャネル間のＧＳにおいて、当該端末装置１２へのデータ信号を送信する。つまり、無線リソース割当部３８は、隣接したサブチャネル間のＧＳをＤＳに変更する。
【００６５】
なお、端末装置１２のコストを低減するために、図２（ｂ）のごとく、複数のサブチャネルによって形成された信号を受信するのではなく、当該端末装置１２に割り当てられたサブチャネル、例えば第８サブチャネルのみを受信するように端末装置１２が構成される場合がある。その際、基地局装置１０は、当該端末装置１２に割り当てるサブチャネルのうち、ＤＣの影響を受けやすいサブキャリアにＤＳを割り当てるべきではない。ここで、ＤＣの影響を受けやすいサブキャリアとは、サブチャネルの中央付近の周波数に対応したサブキャリアであり、例えば、ひとつのサブチャネルのみを割り当てる場合、図２（ｃ）のサブキャリア番号「１５」のＧＳに相当する。
【００６６】
一方、隣接したふたつのサブチャネルを連結する場合、ＤＣの影響を受けやすいサブキャリアは、隣接したサブチャネル間のＧＳに相当する。そのため、そのような場合に、無線リソース割当部３８は、隣接したサブチャネル間のＧＳにおいて、当該端末装置１２へのデータ信号を送信しない。また、隣接した３つのサブチャネルを連結する場合、３つのうちの中央の周波数のサブチャネルにおけるサブキャリア番号「１５」のＧＳが、ＤＣの影響を受けやすいサブキャリアに相当する。そのため、そのような場合に、無線リソース割当部３８は、隣接したサブチャネル間のＧＳにおいて、当該端末装置１２へのデータ信号を送信する。
【００６７】
図８は、本発明の変形例に係る基地局装置１０に入力されるＭＡＣパケットの構成を示す。図示のごとく、複数のＭＡＣパケットであるＭＡＣパケット１とＭＡＣパケット２とが、図示しないＩＦ部２６に入力される。ここで、ＭＡＣパケット１に含まれたＭＡＣヘッダと、ＭＡＣパケット２に含まれたＭＡＣヘッダとは、同一の内容であるとする。その際、無線リソース割当部３８は、ＭＡＣパケット２に含まれたＭＡＣヘッダを削除する。無線リソース割当部３８は、ＭＡＣパケット１に含まれたＭＡＣヘッダ、ＭＡＣデータ１、ＭＡＣデータ２とを複数のサブチャネルに含める。
【００６８】
図９は、本発明の変形例に係る基地局装置１０における信号の生成手順を示すフローチャートである。ＩＦ部２６が複数のＭＡＣパケットを受けつけた場合（Ｓ５０のＹ）、無線リソース割当部３８は、ＭＡＣヘッダが共通であれば（Ｓ５２のＹ）、重複したＭＡＣヘッダを廃棄する（Ｓ５４）。一方、ＭＡＣヘッダが共通でなければ（Ｓ５２のＮ）、ステップ５４の処理は、スキップされる。無線リソース割当部３８は、複数のサブチャネルを使用する。ＩＦ部２６が複数のＭＡＣパケットを受けつけない場合（Ｓ５０のＮ）、つまりひとつのＭＡＣパケットを受けつける場合、無線リソース割当部３８は、少なくともひとつのサブチャネルを使用する（Ｓ５８）。
【００６９】
本発明の実施例によれば、連続したタイムスロットに含まれるサブチャネルを所定の端末装置に割り当てる場合に、後段タイムスロットにおいて、既知信号に使用すべきサブキャリアに対して、既知信号の代わりにデータ信号を含めるので、時間領域の信号の周期性を維持できる。また、時間領域の信号の周期性を維持するので、他の端末装置における同期処理に与える影響を低減できる。また、他の端末装置における同期処理に与える影響を低減するので、他の端末装置における受信特性の悪化を抑制できる。また、連続したタイムスロットに含まれるサブチャネルを所定の端末装置に割り当てる場合に、後段タイムスロットにおいて、既知信号に使用すべきサブキャリアに対して、既知信号の代わりにデータ信号を含めるので、伝送効率を改善できる。また、連続したタイムスロットにおいて同一の端末装置にサブチャネルを割り当てる場合、後段タイムスロットから既知信号を除外し、複数のサブキャリアにデータ信号を含めるので、伝送効率を改善できる。また、サブチャネル連結を実行するときに、前方のタイムスロットを使用するので、連続したタイムスロットを使用しやすくなり、伝送効率を改善できる。
【００７０】
また、伝送効率の向上と同時に端末装置の処理負荷の軽減、他サブチャネルへの干渉の回避を図ることができる。また、同一サブチャネルを複数タイムスロットにて使用することによって、２番目以降のタイムスロットでの同期処理の必要をなくし端末措置の負荷を軽減できる。また、ふたつ目のタイムスロット目以降はプリアンブルを必要としないので、伝送情報量を増加することができる。また、すべてのサブキャリアにデータ信号を含めるとプリアンブルによる時間信号の繰り返しがなくなり、２スロット目のデータを受信する端末装置に対して同期確立を困難にさせてしまうが、プリアンブルの形式を残しデータ信号を含めることによって、自己のデータ伝送量を増加させつつ、他のサブチャネルの同期処理への干渉を低減できる。また、複数のＭＡＣパケットのそれぞれに含まれたＭＡＣヘッダが共通であれば、ひとつのＭＡＣヘッダ以外のＭＡＣヘッダを廃棄した後、複数のＭＡＣパケットの残りの部分を複数のサブチャネルに含めるので、伝送効率を改善できる。また、隣接したサブチャネル間のＧＳにおいてデータ信号を送信するので、伝送効率を改善できる。
【００７１】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００７２】
本発明の実施例において、無線リソース割当部３８は、後段サブチャネルに配置したパケット信号の先頭部分において、ＳＴＳ、ＬＴＳ１に使用すべきサブキャリアにてデータ信号を送信する。つまり、既知信号の形式が維持される。しかしながらこれに限らず例えば、無線リソース割当部３８は、パケット信号の途中において、複数のサブキャリアのうちの一部が使用される区間を設けてもよい。例えば、パケット信号の途中において、ふたつのサブキャリアうちのひとつが使用されたり、４つのサブキャリアのうちのひとつが使用される期間が設けられてもよい。このような期間では、前述のごとく、時間領域の信号の繰り返し周期が短くなる。その結果、受信側では、自己相関処理等によって、周波数オフセットを検出できる。なお、ＲＦ部２０、ベースバンド処理部２２、変復調部２４は、複数のサブキャリアのうちの一部が使用される既知信号を先頭部分に配置したＯＦＤＭ信号によって形成されたパケット信号を使用しながら、端末装置１２と通信する。本変形例によれば、パケット信号の途中において、複数のサブキャリアのうちの一部が使用される区間を設けるので、当該区間における信号の繰り返し周期を短くできる。
【図面の簡単な説明】
【００７３】
【図１】本発明の実施例に係る通信システムの構成を示す図である。
【図２（ａ）】図１の通信システムにおけるフレーム構成を示す図である。
【図２（ｂ）】図１の通信システムにおけるフレーム構成を示す図である。
【図２（ｃ）】図１の通信システムにおけるフレーム構成を示す図である。
【図３】図１の通信システムにおけるサブチャネルの配置を示す図である。
【図４】図１の基地局装置の構成を示す図である。
【図５】図５（ａ）−（ｂ）は、図４の無線リソース割当部によって形成される信号のフォーマットを示す図である。
【図６】図６（ａ）−（ｂ）は、図４の無線リソース割当部によって形成される信号の別のフォーマットを示す図である。
【図７】図４の基地局装置における信号の生成手順を示すフローチャートである。
【図８】本発明の変形例に係る基地局装置に入力されるＭＡＣパケットの構成を示す図である。
【図９】本発明の変形例に係る基地局装置における信号の生成手順を示すフローチャートである。
【符号の説明】
【００７４】
１０  基地局装置、  １２  端末装置、  ２０  ＲＦ部、  ２２  ベースバンド処理部、  ２４  変復調部、  ２６  ＩＦ部、  ２８  無線制御部、  ３０  記憶部、  ３２  制御チャネル決定部、  ３８  無線リソース割当部、  １００  通信システム。
【図１】
2008252502.tif 000003
【図２（ａ）】
2008252502.tif 000004
【図２（ｂ）】
2008252502.tif 000005
【図２（ｃ）】
2008252502.tif 000006
【図３】
2008252502.tif 000007
【図４】
2008252502.tif 000008
【図５】
2008252502.tif 000009
【図６】
2008252502.tif 000010
【図７】
2008252502.tif 000011
【図８】
2008252502.tif 000012
【図９】
2008252502.tif 000013